(57)【要約】【課題】プリンターに加えてハンディターミナルやスキャナーその他の補助機器Ｈを収納して携帯可能であって、持運びおよび取扱いが容易であるとともに、携帯する機器などに応じてそれぞれの収納部の組み合わせに自由度があるプリンターの携帯用収納ケースを提供すること。【解決手段】プリンターを収納するケース本体２の側面に、補助機器Ｈを収納可能な補助収納部３を設けること、および補助収納部３には補助機器Ｈを鉛直方向に出し入れ可能とすることに着目したもので、プリンターを収納して携帯可能なケース本体２のいずれかの側面（左側面部２Ｃ）に補助機器Ｈを収納可能な補助収納部３を有し、補助収納部３は、これをケース本体２に着脱可能とするとともに、その上方部に出入れ用開口部２５を有して補助機器Ｈを鉛直方向に出し入れ可能とすることを特徴とする。【選択図】図１
2007307092.tif 000002
【特許請求の範囲】
【請求項１】
プリンターを収納して携帯可能なプリンターの携帯用収納ケースであって、
前記プリンターを収納して携帯可能なケース本体と、
このケース本体のいずれかの側面に前記プリンターについて補助的に使用する補助機器を収納可能な補助収納部と、
を有し、
この補助収納部は、これを前記ケース本体に着脱可能とするとともに、その上方部に出入れ用開口部を有して前記補助機器を鉛直方向に出し入れ可能とすることを特徴とするプリンターの携帯用収納ケース。
【請求項２】
前記ケース本体は、
これを携帯するための携帯用ベルトを取り付けるベルト取付け部材と、
前記補助収納部を取り付けるための補助収納部取付け部材と、を有するとともに、
これらのベルト取付け部材および補助取付け部材を一体的に構成したことを特徴とする請求項１記載のプリンターの携帯用収納ケース。
【請求項３】
前記補助収納部は、シート状部材からこれを構成してその巻き径を調節することにより、その補助機器収納空間部の直径を可変とすることを特徴とする請求項１記載のプリンターの携帯用収納ケース。
【請求項４】
前記補助収納部を設けている前記ケース本体の前記側面とは異なる側面に、前記プリンターに使用する消耗品を収納可能な消耗品収納部を着脱可能に設けることを特徴とする請求項１記載のプリンターの携帯用収納ケース。
【請求項５】
前記消耗品収納部は、
その収納空間部を開閉するように互いに係脱する消耗品収納部上蓋および消耗品収納部下蓋を有するとともに、
この消耗品収納部下蓋は、この消耗品収納部上蓋との係脱を解除しても、その剛性によりその閉鎖状態を保持可能であることを特徴とする請求項４記載のプリンターの携帯用収納ケース。
【請求項６】
前記ケース本体は、
これを携帯するための携帯用ベルトを取り付けるベルト取付け部材と、
前記補助収納部を取り付けるための補助収納部取付け部材と、
前記消耗品収納部を取り付けるための消耗品収納部取付け部材と、を有するとともに、
これらのベルト取付け部材、補助取付け部材および消耗品収納部取付け部材を一体的に構成したことを特徴とする請求項４記載のプリンターの携帯用収納ケース。
【発明の詳細な説明】
【技術分野】
【０００１】
本発明はプリンターの携帯用収納ケースにかかるもので、とくにプリンターおよびその補助機器などを収納して携帯可能なプリンターの携帯用収納ケースに関するものである。
【背景技術】
【０００２】
従来から、とくに小売り店などにおいて、その店内およびバックヤードで値付け作業ないしはその値下げ作業を行う際に、価格その他の内容を印字するために必要なプリンターを携帯して作業を行う場合が多く、このプリンターを携帯するための携帯用収納ケースが用いられている。
しかしながら、プリンターに関連して補助的に使用されるハンディターミナルやスキャナーその他の補助機器は、手に持って携帯されることが多く、商品の取扱い作業その他に不便であるという問題があり、これらの補助機器を収納して携帯するための収納ケースが要請されている。
【０００３】
さらに、上記プリンターや補助機器のバッテリーおよびラベルロールなどの消耗品の補充に便利なように、予備のバッテリーやラベルロールを同時に持ち運ぶことができるような機能を有する収納ケースも要請されている。
【０００４】
【特許文献１】特開２００２−１９９９２５号公報
【発明の開示】
【発明が解決しようとする課題】
【０００５】
本発明は以上のような諸問題にかんがみなされたもので、プリンターに加えてハンディターミナルやスキャナーその他の補助機器を収納して携帯可能なプリンターの携帯用収納ケースを提供することを課題とする。
【０００６】
また本発明は、必要であれば、予備のバッテリーやラベルロールを同時に持ち運ぶことができるようなプリンターの携帯用収納ケースを提供することを課題とする。
【０００７】
また本発明は、持運びおよび取扱いが容易であるとともに、携帯する機器などに応じてそれぞれの収納部の組み合わせに自由度があるプリンターの携帯用収納ケースを提供することを課題とする。
【課題を解決するための手段】
【０００８】
すなわち本発明は、プリンターを収納するケース本体の側面に、補助機器を収納可能な補助収納部を設けること、およびこの補助収納部には補助機器を鉛直方向に出し入れ可能とすることに着目したもので、プリンターを収納して携帯可能なプリンターの携帯用収納ケースであって、上記プリンターを収納して携帯可能なケース本体と、このケース本体のいずれかの側面に上記プリンターについて補助的に使用する補助機器を収納可能な補助収納部と、を有し、この補助収納部は、これを上記ケース本体に着脱可能とするとともに、その上方部に出入れ用開口部を有して上記補助機器を鉛直方向に出し入れ可能とすることを特徴とするプリンターの携帯用収納ケースである。
【０００９】
上記ケース本体は、これを携帯するための携帯用ベルトを取り付けるベルト取付け部材と、上記補助収納部を取り付けるための補助収納部取付け部材と、を有するとともに、これらのベルト取付け部材および補助取付け部材を一体的に構成することができる。
【００１０】
上記補助収納部は、シート状部材からこれを構成してその巻き径を調節することにより、その補助機器収納空間部の直径を可変とすることができる。
【００１１】
上記補助収納部を設けている上記ケース本体の上記側面とは異なる側面に、上記プリンターに使用する消耗品を収納可能な消耗品収納部を着脱可能に設けることができる。
【００１２】
上記消耗品収納部は、その収納空間部を開閉するように互いに係脱する消耗品収納部上蓋および消耗品収納部下蓋を有するとともに、この消耗品収納部下蓋は、この消耗品収納部上蓋との係脱を解除しても、その剛性によりその閉鎖状態を保持可能であることができる。
【００１３】
上記ケース本体は、これを携帯するための携帯用ベルトを取り付けるベルト取付け部材と、上記補助収納部を取り付けるための補助収納部取付け部材と、上記消耗品収納部を取り付けるための消耗品収納部取付け部材と、を有するとともに、これらのベルト取付け部材、補助取付け部材および消耗品収納部取付け部材を一体的に構成することができる。
【００１４】
上記補助収納部あるいは消耗品収納部を上記ケース本体に着脱可能に取り付ける固定具として、ベルクロファスナーを採用することにより、ケース本体への着脱を簡便にするとともに、取付け形態に融通性を持たせることができる。
【発明の効果】
【００１５】
本発明によるプリンターの携帯用収納ケースにおいては、補助機器を収納可能な補助収納部を有し、この補助収納部をケース本体に着脱可能とするとともに、その上方部に出入れ用開口部を有して補助機器を鉛直方向に出し入れ可能とするようにしたので、ケース本体にプリンターを収納してこれを携帯することができるとともに、補助収納部にハンディターミナルやスキャナーその他の補助機器を収納して携帯することができ、とくに手に持って作業する必要がある補助機器の出入れ操作を容易とし、かつ携帯用収納ケースへの各機器の収納時に作業者の両手をあけて商品の取扱いやその他の作業を効率よく行うことを可能とする。
さらに、ケース本体に消耗品収納部を着脱可能に設けることにより、プリンターに使用する予備バッテリーやラベルロールなどの消耗品を一緒に携帯可能である。
【発明を実施するための最良の形態】
【００１６】
本発明は、ケース本体のいずれかの側面に補助機器を収納可能な補助収納部を設け、この補助収納部がその上方部に出入れ用開口部を有して補助機器を鉛直方向に出し入れ可能であるので、補助機器の携帯に便利であるとともに、その取扱い作業ないし出入れ作業も容易なプリンターの携帯用収納ケースを実現した。
【実施例】
【００１７】
つぎに本発明の実施例によるプリンターの携帯用収納ケース１を図１ないし図９にもとづき説明する。
図１は、プリンターの携帯用収納ケース１の分解斜視図、図２は、同、正面図、図３は、同、左側面図、図４は、同、右側面図である。
プリンターの携帯用収納ケース１は、ケース本体２と、補助収納部３と、消耗品収納部４と、肩ベルト５および腰ベルト６（携帯用ベルト）と、を有する。
【００１８】
ケース本体２は、プリンターＰ（図３、図４に仮想線で示している）を収納して携帯可能であって、所定の剛性を有するシート状の合成布材（シート状部材）を箱状（断面コ字状）に折り曲げることによりその裏面部２Ａおよび正面部２Ｂを一体に構成し、その左右両側に同じくシート状の合成布材によるその左側面部２Ｃおよび右側面部２Ｄを縫い合わせて、その内部にプリンター収納空間部７を形成している。なお、裏面部２Ａおよび正面部２Ｂの中間部に位置する部分を底面部２Ｅとしている。
【００１９】
図５は、ケース本体２の正面図、図６は、同、左側面図である。
裏面部２Ａの上部は、正面部２Ｂの上部より長くこれを形成し、その自由先端側を本体上蓋８とし、正面部２Ｂの自由先端側を本体上蓋係脱部９としているとともに、本体上蓋８の裏側にベルクロファスナー１０の一方の係脱部１０Ａおよび本体上蓋係脱部９の表側にベルクロファスナー１０の他方の係脱部１０Ｂを対向可能に形成して、プリンター収納空間部７を開閉可能としている。
なお、本体上蓋８には上部窓１１を形成して、プリンターＰの上部の操作部を操作可能とする。正面部２Ｂには正面窓１２を形成して、プリンターＰから印字済みのラベルを排出可能とする。
【００２０】
裏面部２Ａは、作業者の腰部に当接する部分であり、前記腰ベルト６を挿通して取り付けるための一対の腰ベルト取付け片１３を設けている。
左側面部２Ｃおよび右側面部２Ｄは、少なくともそのいずれか一方に補助収納部３を取り付けるもので、たとえば、左側面部２Ｃの中心上下方向に帯状の合成布材による補助収納部取付け部材１４を縫い付けて固定している。
補助収納部取付け部材１４の上端部に折返し部を形成して、三角形状の輪部材からなる肩ベルト取付け部材１５（ベルト取付け部材）を、その下端部にも同じく折返し部を形成して扁平な輪部材からなる消耗品収納部取付け部材１６をそれぞれ取り付けるとともに、肩ベルト取付け部材１５、補助収納部取付け部材１４および消耗品収納部取付け部材１６をケース本体２の側面（左側面部２Ｃおよび右側面部２Ｄ）に沿って縦方向（鉛直方向）に一体的に構成している。したがって、製造ないし加工上の工程が単純化されているとともに、収納する各機器ないし物品の重量を確実かつ安全に保持可能である。
なお、補助収納部取付け部材１４のほぼ中央部には、所定幅で左右貫通空隙部１７を残してあり、前記補助収納部３の締付け用ベルト部材２２（後述）を横方向から挿通可能としてこの部分に補助収納部３を取り付け固定可能としている。
底面部２Ｅは、消耗品収納部４を取り付ける部分であって、その左右両側端部に上記左右一対の消耗品収納部取付け部材１６が臨んでいる。
【００２１】
補助収納部３は、プリンターＰについて補助的に使用するハンディターミナルやスキャナーその他の補助機器Ｈ（図１、図２に仮想線で示している）を収納して携帯可能とするものであって、所定の剛性を有するシート状の合成布材（シート状部材）をほぼ円形状に丸めることにより、その内部に上下を開放した補助機器収納空間部１８を形成可能としている。
なお補助機器Ｈは、たとえば正面Ｔ字型のものであり、上方部が下方部に比較して大きく横方向に張り出しているため、補助機器収納空間部１８内に収納して、下方にすっぽ抜けないようにすることができる。
【００２２】
図７は、補助収納部３を平面状に展開した状態の外側を示す平面図、図８は、同、補助収納部３を平面状に展開した状態の内側を示す平面図である。
図７に示すように、補助収納部３のシート状部材の外側の図中左右両側部に、ベルクロファスナー１９の一方の係脱部１９Ａ、およびベルクロファスナー２０の一方の係脱部２０Ａと、を設けている。
さらに、補助収納部３の外側に位置して、上記ベルクロファスナー１９の一方の係脱部１９Ａに近い部位に位置するベルト固定部２１において、補助収納部３のシート状部材より長い帯状の締付け用ベルト部材２２を固定している。
【００２３】
ベルクロファスナー１９の一方の係脱部１９Ａは、補助収納部取付け部材１４の表面に形成したベルクロファスナー１９の他方の係脱部１９Ｂと係脱可能であり、締付け用ベルト部材２２とともに、補助収納部３をケース本体２の左側面部２Ｃに取り付け可能とする。
ベルクロファスナー２０の一方の係脱部２０Ａは、補助収納部３の内側一端に設けたベルクロファスナー２０の他方の係脱部２０Ｂ（図８）と係脱可能であり、一方の係脱部２０Ａを他方の係脱部２０Ｂ方向に丸め込むようにして補助収納部３をほぼ円形状に形作る。
【００２４】
締付け用ベルト部材２２は、ベルト固定部２１からその自由端側に向かって比較的長い部分に、ベルクロファスナー２３の一方の係脱部２３Ａおよび他方の係脱部２３Ｂを設けるとともに、その反対側の端部に扁平な締付け用輪部材２４を取り付けている。
したがって、図１に仮想矢印で示すように、締付け用ベルト部材２２におけるベルクロファスナー２３の一方の係脱部２３Ａ側からこのベルクロファスナー２３が内側に（ケース本体２の左側面部２Ｃに接触するように）なるように左側面部２Ｃにおける補助収納部取付け部材１４の左右貫通空隙部１７に挿通し、ベルト固定部２１の部分が補助収納部取付け部材１４に当接するまで引き出すことができる。
締付け用ベルト部材２２を左右貫通空隙部１７に挿通したこの引出し状態で、図１の矢印に示すように、ベルクロファスナー２０の一方の係脱部２０Ａを他方の係脱部２０Ｂに向かって内方に巻き込むようにして、ベルクロファスナー２０の一方の係脱部２０Ａと他方の係脱部２０Ｂとを係合させ、補助収納部３の円形形状を作成する。
ついで、締付け用ベルト部材２２をこの円形状態の補助収納部３の外周側に巻き掛けるようにしてベルクロファスナー２３の一方の係脱部２３Ａ側の先端部を締付け用輪部材２４内に挿通するとともにこれを折り返し、補助収納部３の外周面においてベルクロファスナー２３の他方の係脱部２３Ｂと係合させることにより補助収納部３の円形状態を締め付けて固定する。
かくして、円形状とした補助収納部３は、これをケース本体２に着脱可能であるとともに、その上方部に出入れ用開口部２５を有し、その補助機器収納空間部１８内に補助機器Ｈを鉛直方向に出し入れ可能とするもので、カバーないし蓋などの開閉操作を不要とし、出入れ操作を容易に行うことができる。もちろん、補助機器収納空間部１８は、その下方部も開放されており、任意の長さの補助機器Ｈを出し入れ可能である。
【００２５】
補助収納部３は、シート状部材からこれを構成してあるので、上述のように円形状に構成する際に、その巻き径を調節することができ、この調節により、その補助機器収納空間部１８の直径を可変とすることができ、任意の大きさないし形状の補助機器Ｈに対応してこれを収納し、出入れを行うことができる。
【００２６】
なお本発明においては、補助収納部３を構成するためのシート状部材の平面形状を所定の円周角を有する扇型として、任意の形状を呈する円錐状の補助収納部３を形成することもできる。
【００２７】
消耗品収納部４は、プリンターＰに使用する予備バッテリーやラベルロールなどの消耗品Ｓ（図３、図４に仮想線で示している）を収納して携帯可能するものであって、補助収納部３を設けているケース本体２の側面（左側面部２Ｃ）とは異なる側面（たとえば底面部２Ｅ）に消耗品Ｓを収納可能であり、必要に応じてケース本体２にこれを着脱可能に設けることができる。
【００２８】
図９は、消耗品収納部４の側面図であって、消耗品収納部４は、ケース本体２および補助収納部３と同様の、所定の剛性を有するシート状の合成布材（シート状部材）を箱状（断面コ字状）に折り曲げることによりその裏面部４Ａ、正面部４Ｂ、上面部４Ｃおよび底面部４Ｄを一体に構成し、同じくシート状の合成布材によるその左側面部４Ｅ（図３）および右側面部４Ｆを縫い合わせて、その内部に消耗品収納空間部２６を形成している。
【００２９】
上面部４Ｃおよび正面部４Ｂは、そのシート状部材の剛性により、消耗品収納空間部２６を閉鎖する方向に円弧状に曲がっている。
上面部４Ｃは、これを長く伸ばしてその先端部分を消耗品収納部上蓋２７としているとともに、正面部４Ｂの先端部分はこれを消耗品収納部下蓋２８としており、消耗品収納部上蓋２７が消耗品収納部下蓋２８を上から被覆可能としている。
消耗品収納部上蓋２７の裏側にベルクロファスナー２９の一方の係脱部２９Ａを形成し、消耗品収納部下蓋２８の表側にベルクロファスナー２９の他方の係脱部２９Ｂを対向形成して、その係脱により消耗品収納部上蓋２７を開閉可能としている。
ただし、消耗品収納部下蓋２８は、消耗品収納部上蓋２７との係脱を解除しても、その剛性によりその閉鎖状態を保持可能である。
【００３０】
消耗品収納部４の左側面部４Ｅおよび右側面部４Ｆには、左右一対の固定用ベルト部材３０をそれぞれ設けており、その表面において折返し部３１を境にベルクロファスナー３２の一方の係脱部３２Ａおよび他方の係脱部３２Ｂをそれぞれ形成してある。
固定用ベルト部材３０の自由先端部３０Ａをケース本体２の前記補助収納部取付け部材１４の消耗品収納部取付け部材１６（図１）に挿通し、折返し部３１の部分で折り返したのち、ベルクロファスナー３２の一方の係脱部３２Ａを他方の係脱部３２Ｂに係合させれば、消耗品収納部４をケース本体２の底面部２Ｅに固定して取り付けることができる。
なお、折返し部３１の位置を調節することにより、消耗品収納部４をケース本体２に対して所定の間隔を開けて取り付けることが可能となり、消耗品収納空間部２６の容量を多少調節することができる。
【００３１】
こうした構成のプリンターの携帯用収納ケース１において、ケース本体２のベルクロファスナー１０の係合を解除して本体上蓋８を本体上蓋係脱部９からあけてプリンター収納空間部７にプリンターＰを収納することができ、上部窓１１および正面窓１２を通して所定の操作を行うことができる。
【００３２】
また、補助収納部３の出入れ用開口部２５からハンディターミナルやスキャナーその他の補助機器Ｈを上方から差し入れるように収納することができる。
なお、補助収納部３は、シート状部材からこれを形成せずに、ハンディターミナルやスキャナーその他の補助機器Ｈに応じた形状の、たとえば断面矩形状の補助収納部（図示せず）とすることもできる。
【００３３】
消耗品収納部４には、予備のバッテリーやラベルロールを収納しておくことができ、必要に応じて取り出すことができる。
なお、消耗品収納部４を開ける際には、ベルクロファスナー２９を解除するように消耗品収納部上蓋２７を持ち上げるだけでよいとともに、この開放時にも、消耗品収納部下蓋２８がその剛性によってその閉鎖状態を保持可能であり、内部の消耗品収納空間部２６から予備バッテリーやラベルロールなどの消耗品Ｓが不用意に落下することを防止可能である。
【００３４】
補助収納部３および消耗品収納部４は、作業内容に応じて、その都度ケース本体２への取付け構成を選択することが可能であり、融通性を持たせることができる。
補助収納部３には、上方から出入れ用開口部２５にハンディターミナルやスキャナーその他の補助機器Ｈを差し入れるように収納するとともに、これを取り出す際も、そのまま引っ張り上げればよいので、取扱いが非常に容易である。
【図面の簡単な説明】
【００３５】
【図１】本発明の実施例によるプリンターの携帯用収納ケース１の分解斜視図である。
【図２】同、正面図である。
【図３】同、左側面図である。
【図４】同、右側面図である。
【図５】同、ケース本体２の正面図である。
【図６】同、左側面図である。
【図７】同、補助収納部３を平面状に展開した状態の外側を示す平面図である。
【図８】同、補助収納部３を平面状に展開した状態の内側を示す平面図である。
【図９】同、消耗品収納部４の側面図である。
【符号の説明】
【００３６】
１  プリンターの携帯用収納ケース（実施例、図１〜図４）
２  ケース本体
２Ａ  ケース本体２の裏面部（図１〜図４）
２Ｂ  ケース本体２の正面部
２Ｃ  ケース本体２の左側面部
２Ｄ  ケース本体２の右側面部
２Ｅ  ケース本体２の底面部
３  補助収納部
４  消耗品収納部
４Ａ  消耗品収納部４の裏面部（図９）
４Ｂ  消耗品収納部４の正面部
４Ｃ  消耗品収納部４の上面部
４Ｄ  消耗品収納部４の底面部
４Ｅ  消耗品収納部４の左側面部（図３）
４Ｆ  消耗品収納部４の右側面部（図４）
５  肩ベルト（携帯用ベルト）
６  腰ベルト（携帯用ベルト）
７  プリンター収納空間部
８  本体上蓋
９  本体上蓋係脱部
１０  ベルクロファスナー
１０Ａ  ベルクロファスナー１０の一方の係脱部
１０Ｂ  ベルクロファスナー１０の他方の係脱部
１１  上部窓
１２  正面窓
１３  腰ベルト取付け片
１４  補助収納部取付け部材
１５  肩ベルト取付け部材（ベルト取付け部材）
１６  消耗品収納部取付け部材
１７  補助収納部取付け部材１４の左右貫通空隙部
１８  補助機器収納空間部
１９  ベルクロファスナー
１９Ａ  ベルクロファスナー１９の一方の係脱部（図７）
１９Ｂ  ベルクロファスナー１９の他方の係脱部（図１）
２０  ベルクロファスナー
２０Ａ  ベルクロファスナー２０の一方の係脱部
２０Ｂ  ベルクロファスナー２０の他方の係脱部
２１  ベルト固定部（図７）
２２  締付け用ベルト部材
２３  ベルクロファスナー
２３Ａ  ベルクロファスナー２３の一方の係脱部
２３Ｂ  ベルクロファスナー２３の他方の係脱部
２４  締付け用輪部材
２５  出入れ用開口部
２６  消耗品収納空間部
２７  消耗品収納部上蓋
２８  消耗品収納部下蓋
２９  ベルクロファスナー
２９Ａ  ベルクロファスナー２９の一方の係脱部（図９）
２９Ｂ  ベルクロファスナー２９の他方の係脱部
３０  固定用ベルト部材
３０Ａ  固定用ベルト部材３０の自由先端部
３１  折返し部
３２  ベルクロファスナー
３２Ａ  ベルクロファスナー３２の一方の係脱部
３２Ｂ  ベルクロファスナー３２の他方の係脱部
Ｐ    プリンター
Ｈ    ハンディターミナルやスキャナーその他の補助機器
Ｓ    予備バッテリーやラベルロールなどの消耗品
【図１】
2007307092.tif 000003
【図２】
2007307092.tif 000004
【図３】
2007307092.tif 000005
【図４】
2007307092.tif 000006
【図５】
2007307092.tif 000007
【図６】
2007307092.tif 000008
【図７】
2007307092.tif 000009
【図８】
2007307092.tif 000010
【図９】
2007307092.tif 000011